(57)【要約】【課題】  表裏両面が外壁面となる外壁構造において、表側の外壁面および裏側の外壁面をそれぞれパネル化する。【解決手段】  表側外壁パネル１および裏側外壁パネル２を設ける。表側外壁パネル１は、側辺が基礎６上に立てられた柱７に接合され、かつ上辺が梁８に接合される。裏側外壁パネル２は、上辺が梁８に接合される。仮支持手段１７、位置決め手段１５、およびパネル下端拘束手段２１を設ける。仮支持手段１７は、裏側外壁パネル２の上辺が梁８に接合されていない状態で、この裏側外壁パネル２を柱７または表側外壁パネル１に支持させる。位置決め手段１５は、仮支持手段１７による支持状態で裏側外壁パネル２の基礎６に対する水平位置を位置決めする。パネル下端拘束手段２１は、裏側外壁パネル２の上辺が梁８に接合された状態でこの裏側外壁パネル２の下端の動きを拘束する。【選択図】        図１
2009221689.tif 000002
【特許請求の範囲】
【請求項１】
表裏両面が外壁面となる外壁構造において、表側の外壁面および裏側の外壁面をそれぞれ構成する表側外壁パネルおよび裏側外壁パネルを設け、これら表側外壁パネルおよび裏側外壁パネルは、共にパネルフレームの片面に外壁面材が取付けられたものであり、前記表側外壁パネルは、側辺が基礎上に立てられた柱に接合され、かつ上辺が梁に接合され、前記裏側外壁パネルは上辺が前記梁に接合されるものであり、前記裏側外壁パネルの上辺が前記梁に接合されていない状態で、この裏側外壁パネルを前記柱または前記表側外壁パネルに支持させる仮支持手段と、この仮支持手段による支持状態で前記裏側外壁パネルの前記基礎に対する水平位置を位置決めする位置決め手段と、前記裏側外壁パネルの上辺が前記梁に接合された状態でこの裏側外壁パネルの下端の動きを拘束するパネル下端拘束手段とを設けたことを特徴とする両面パネル外壁構造。
【請求項２】
請求項１において、前記位置決め手段は、前記基礎上に固定されて上面に位置決め孔を有するプレートと、前記裏側外壁パネルの下端から下向きに突出して前記位置決め孔に嵌合する位置決めピンとでなる両面パネル外壁構造。
【請求項３】
請求項１または請求項２において、前記パネル下端拘束手段は、前記裏側外壁パネルのパネルフレームの下端に設けられた雌ねじ部材と、この雌ねじ部材に螺着され下端が前記基礎に押付けられる調整ボルトとでなる両面パネル外壁構造。
【請求項４】
請求項１ないし請求項３のいずれか１項において、前記仮支持手段は、前記柱に取付けられて上向きの切欠溝を有する仮支持金具と、前記裏側外壁パネルのパネルフレームの側辺から突出して前記仮支持金具の前記切欠溝に受けられる被支持片とでなる両面パネル外壁構造。
【請求項５】
請求項１ないし請求項３のいずれか１項において、前記仮支持手段は、前記裏側外壁パネルに取付けられて前記表側外壁パネルのパネルフレームに係合する仮支持金物である両面パネル外壁構造。
【発明の詳細な説明】
【技術分野】
【０００１】
この発明は、袖壁等において、表裏両面が外壁面となり、表側の外壁面および裏側の外壁面のそれぞれを外壁パネルで構成した両面パネル外壁構造に関する。
【背景技術】
【０００２】
例えば図１１に住宅１階部分の平面図を示すように、建物本体３０の入り込み玄関３０ａの脇から張り出す袖壁３１では、表裏両面が外壁面となっている。従来、このような外壁を建てる場合、一方の面（表面）の外壁面については、予めパネルフレームの片面に外壁面材が取付けられた外壁パネルを、基礎、柱、梁等の躯体にボルト等で固定し、もう一方の面（裏面）の外壁面については、木や金属製の下地桟を前記躯体に固定し、この下地桟に外壁面材を直接ビス等で固定していた。裏面側の外壁面を外壁パネルとしない理由は、外壁パネルとした場合、それを躯体に固定するための施工スペースがなく、施工が困難であるからである。
【特許文献１】特開平０６−０８１４２６号公報
【発明の開示】
【発明が解決しようとする課題】
【０００３】
上記従来のように裏面側の外壁面が現場施工であると、完成した外壁面の精度が現場作業者の熟練度により左右される。また、現場施工で取付けた外壁面材は、この外壁面材の外面側から挿入したビスにより下地桟に固定されるため、後でビス止め箇所の補修を行なう必要があり、その補修跡が見栄えを悪くすることがある。さらに、裏面側の外壁面が現場施工であると、現場での施工時間が長くかかるし、また重量の大きな外壁面材を現場で人力により取付けなければならず作業が重労働であることも問題である。
【０００４】
上記各問題を解決するために、表裏両面が外壁面となる壁構造において、表側の外壁面および裏側の外壁面のそれぞれをパネル化することを試みた。表側の外壁パネルは、基礎上に立てられた柱に側辺を接合した後、上辺を梁に接合して吊り下げ支持するものとし、かつ裏側の外壁パネルは、前記柱または表側の外壁パネルに仮固定した後、上辺を前記梁に接合して吊り下げ支持するようにした。また、図１２に示すように、基礎６と外壁パネル１との間に溝形鋼からなる土台３２を設置し、この土台３２で外壁パネル１の下端を下から支えるようにした。
【０００５】
しかし、外壁パネル１の下端支持部が図１２に示す構造であると、基礎６と土台３２、および土台３２と外壁パネル１の２箇所をボルト等の固着具３３で固定しなければならず、その作業が面倒である。また、土台３２に溝形鋼を用いるためコスト高となると共に、土台３２の外側を覆うカバー等（図示せず）も大きなものが必要となり、そのことも全体コストアップにつながる。
【０００６】
この発明の目的は、表裏両面が外壁面となる外壁構造において、表側の外壁面および裏側の外壁面のそれぞれをパネル化することであり、しかも施工が容易で、かつコストを低く抑えられる構造とすることである。
【課題を解決するための手段】
【０００７】
この発明の両面パネル外壁構造は、表裏両面が外壁面となる外壁構造において、表側の外壁面および裏側の外壁面をそれぞれ構成する表側外壁パネルおよび裏側外壁パネルを設け、これら表側外壁パネルおよび裏側外壁パネルは、共にパネルフレームの片面に外壁面材が取付けられたものであり、前記表側外壁パネルは、側辺が基礎上に立てられた柱に接合され、かつ上辺が梁に接合されものであり、前記裏側外壁パネルは上辺が前記梁に接合され、前記裏側外壁パネルの上辺が前記梁に接合されていない状態で、この裏側外壁パネルを前記柱または前記表側外壁パネルに支持させる仮支持手段と、この仮支持手段による支持状態で前記裏側外壁パネルの前記基礎に対する水平位置を位置決めする位置決め手段と、前記裏側外壁パネルの上辺が前記梁に接合された状態でこの裏側外壁パネルの下端の動きを拘束するパネル下端拘束手段とを設けたことを特徴とする。
【０００８】
表側外壁パネルおよび裏側外壁パネルは、予め工場等で組立てられる。現場では、例えば以下に示す順で施工する。まず、基礎上に柱を立て、この柱に表側外壁パネルの側辺を接合して、柱に表側外壁パネルを取付ける。次に、仮支持手段により、柱または表側外壁パネルに裏側外壁パネルを支持させる。その際、位置決め手段により、裏側外壁パネルの基礎に対する水平位置を位置決めする。この裏側外壁パネルの支持は、柱に梁が設置されるまでの仮支持である。梁が設置されると、この梁に表側外壁パネルおよび裏側外壁パネルの上辺を接合して、両外壁パネルを吊り下げ状態に支持する。さらに、パネル下端拘束手段により、裏側外壁パネルの下端の動きを拘束することで、両面パネル外壁構造が完成する。
【０００９】
このように、仮支持手段により、裏側外壁パネルを柱または表側外壁パネルに仮支持させてから、後で正式に裏側外壁パネルを梁に吊り下げ状態に支持させることにより、両外壁パネル間に手等を差し入れるスペースが無くても、裏側外壁パネルを取付けることができる。また、裏側外壁パネルを柱または表側外壁パネルに仮支持する際に、位置決め手段により、裏側外壁パネルの基礎に対する水平位置を位置決めしておくことにより、裏側外壁パネルを正確な水平位置に取付けることができる。位置決め手段による位置決めだけでは、裏側外壁パネル下端の位置ずれが生じる可能性があるが、裏面側外壁パネルを梁に吊り下げ状態に支持した後、パネル下端拘束手段により、裏側外壁パネルの下端の動きを拘束することにより、上記裏側外壁パネル下端の位置ずれを防ぐことができる。
【００１０】
表裏の外壁面が外壁パネルからなる構造としたことにより、完成した外壁面の精度が現場作業者の熟練度に左右されることをなくせる。後でビス止め箇所等の補修を行なう必要がなくなり、見栄えが良好である。表側外壁パネルおよび裏側外壁パネルは工場等で組立てられるので、現場での施工時間を短縮できる。組立てられた表側外壁パネルおよび裏側外壁パネルは施工時にクレーン等の重機を使って運搬および保持できるので、重量の重い外壁面材を現場で人力により取付ける必要がなくなり、現場作業が楽になる。また、この両面パネル外壁構造は、簡易な構造であり、特殊な部材を使用するものではないため、施工が容易で、かつコストを低く抑えることができる。
【００１１】
この発明において、前記位置決め手段を、前記基礎上に固定されて上面に位置決め孔を有するプレートと、前記裏側外壁パネルの下端から下向きに突出して前記位置決め孔に嵌合する位置決めピンとで構成することができる。
位置決め手段を上記プレートと位置決めピンとで構成すると、簡略な構成でありながら、裏側外壁パネルの基礎に対する水平位置の位置決めが確実である。
【００１２】
また、前記パネル下端拘束手段を、前記裏側外壁パネルのパネルフレームの下端に設けられた雌ねじ部材と、この雌ねじ部材に螺着され下端が前記基礎に押付けられる調整ボルトとで構成することができる。
パネル下端拘束手段を上記雌ねじ部材と調整ボルトとで構成すると、簡易な構成でありながら、裏側外壁パネルの下端の動きを確実に拘束することができる。
【００１３】
さらに、前記仮支持手段を、前記柱に取付けられて上向きの切欠溝を有する仮支持金具と、前記裏側外壁パネルのパネルフレームの側辺から突出して前記仮支持金具の前記切欠溝に受けられる被支持片とで構成することができる。
仮支持手段を上記仮支持金具と被支持片とで構成すると、簡易な構成でありながら、裏側外壁パネルを柱に確実に支持させることができる。
【００１４】
前記仮支持手段は、前記裏側外壁パネルに取付けられて前記表側外壁パネルのパネルフレームに係合する仮支持金物としてもよい。
仮支持手段が上記仮支持金物である場合は、簡易な構成でありながら、裏側外壁パネルを表側外壁パネルに確実に支持させることができる。
【発明の効果】
【００１５】
この発明の両面パネル外壁構造は、表裏両面が外壁面となる外壁構造において、表側の外壁面および裏側の外壁面をそれぞれ構成する表側外壁パネルおよび裏側外壁パネルを設け、これら表側外壁パネルおよび裏側外壁パネルは、共にパネルフレームの片面に外壁面材が取付けられたものであり、前記表側外壁パネルは、側辺が基礎上に立てられた柱に接合され、かつ上辺が梁に接合され、前記裏側外壁パネルは上辺が前記梁に接合されものであり、前記裏側外壁パネルの上辺が前記梁に接合されていない状態で、この裏側外壁パネルを前記柱または前記表側外壁パネルに支持させる仮支持手段と、この仮支持手段による支持状態で前記裏側外壁パネルの前記基礎に対する水平位置を位置決めする位置決め手段と、前記裏側外壁パネルの上辺が前記梁に接合された状態でこの裏側外壁パネルの下端の動きを拘束するパネル下端拘束手段とを設けたことにより、表側の外壁面および裏側の外壁面のそれぞれをパネル化することが可能となり、しかも施工が容易で、かつコストを低く抑えられる。
【発明を実施するための最良の形態】
【００１６】
この発明の実施形態を図１ないし図６と共に説明する。この両面パネル外壁構造は、住宅等の建物における袖壁等の表裏両面が外壁面となる外壁構造に適用されるものであり、表側の外壁面および裏側の外壁面をそれぞれ構成する表側外壁パネル１および裏側外壁パネル２を備える。これら表側外壁パネル１および裏側外壁パネル２は、図４および図５に示すように、共にパネルフレーム３の片面に下地桟４を取付け、この下地桟４に外壁面材５を取付けたものである。外壁面材５は、ＧＲＣ（ガラス繊維強化セメント）等からなる。パネルフレーム３は、軽量鉄骨からなる縦フレーム材３ａ、横フレーム材３ｂ、および中桟３ｃを枠組状に組み合わせて構成されている。図４および図５は裏側外壁パネル２を示しているが、若干の違いはあるものの、基本的には表側外壁パネル１も同様の構成である。なお、表側外壁パネル１の縦フレーム材３ａは溝形鋼とされ、裏側外壁パネル２の縦フレーム材３ａは角パイプとされている。これらの表側外壁パネル１および裏側外壁パネル２は、工場等で組立てられる。
【００１７】
図１（Ａ）に示すように、この両面パネル外壁構造の完成状態では、基礎６上に柱７を垂直に立て、この柱７上に梁８が水平に設置される。柱７を通し柱として、柱７の側面に梁８を接合してもよい。表側外壁パネル１は、側辺を柱７に接合させ、かつ上辺を梁８に接合させることで支持される。また、裏側外壁パネル２は、仮支持手段１７により柱７に対して仮支持させ、後に上辺を梁８に接合させることで支持される。
詳しくは、図２に示すように、柱７は軽量形鋼におけるリップ付きの溝形鋼からなり、上下方向の複数箇所で両側のリップ部７ａ間を補強板７ｂで連結したものである。この柱７のフランジ部７ｃと表側外壁パネル１のパネルフレーム縦フレーム材３ａとが、ボルト１０およびナット１１により接合される。また、図１（Ａ）に示すように、梁８はＨ形鋼からなり、この梁８の下側フランジ部８ａと表側外壁パネル１および裏側外壁パネル２のパネルフレーム３とが、ボルト１０およびナット（図示せず）により接合される。仮支持手段１７については、後で説明する。
【００１８】
柱７および表側外壁パネル１の下側には、これらを載せる台となる厚肉鋼板からなるプレート１２が、基礎６の天端面上に設けられている。基礎６は、布基礎等からなる。図３に示すように、上記プレート１２は、柱７を挟んで隣合う一対の表側外壁パネル１の対向する端部間に配置されており、アンカーボルト１３により、柱７と共に基礎６に固定されている。
プレート１２には表側外壁パネル位置決め孔１４ａ（図１（Ｂ））が設けられ、この位置決め孔１４ａに、表側外壁パネル１の下端から下向きに突出する位置決めピン１４ｂを嵌合させることで、表側外壁パネル１の水平位置が位置決めされている。位置決め孔１４ａを有するプレート１２と位置決めピン１４ｂとで、表側外壁パネル１の基礎６に対する水平位置を位置決めする表側外壁パネル位置決め手段１４を構成している。この表側外壁パネル位置決め手段１４による位置決めに代えて、アンカーボルトにより表側外壁パネル１を基礎６に固定してもよい。
また、プレート１２は、裏側外壁パネル２の下方に張り出す張出部１２ａ（図３）を有し、この張出部１２ａに裏側外壁パネル位置決め孔１５ａ（図１（Ｂ））が設けられ、この位置決め孔１５ａに、裏側外壁パネル２の下端から下向きに突出する位置決めピン１５ｂを嵌合させることで、裏側外壁パネル１の水平位置が位置決めされる。位置決め孔１５ａを有するプレート１２と位置決めピン１５ｂとで、裏側外壁パネル２の基礎６に対する水平位置を位置決めする裏側外壁パネル位置決め手段１５を構成している。
【００１９】
この両面パネル外壁構造には、梁８が設置されるまでの間、裏側外壁パネル２を柱７に仮支持しておくための仮支持手段１７が設けられている。図６に示すように、仮支持手段１７は、柱７の上端のリップ部７ａ側の面に取付けられた仮支持金具１８と、裏側外壁パネル２のパネルフレーム３に設けた被支持片１９とでなる。なお、柱７上端の仮支持金具１８が取付けられる箇所は、側面視で長方形に切り欠かれた形状となっている。仮支持金具１８は、平面視コ字形の金具であり、その中央部で溶接により柱７に取付けられている。仮支持金具１８の両側部には、上向きの切欠溝１８ａがそれぞれ形成されている。この実施形態では、概略形状が上側に開くＶ字状で、下端部は円弧状とされている。両側部の各切欠溝１８ａは、隣合う一対の裏側外壁パネル２の被支持片１９にそれぞれ対応する。なお、仮支持金具１８の中央部には、柱７と梁８を接合する際に柱７内に手や工具を入れるための切欠部１８ｂが形成されている。被支持片１９は、前記切欠溝１８ａに受けられる形状のものであり、例えばボルトを軸部が露出する状態でパネルフレーム３にねじ込んだものとされている。
【００２０】
また、図１（Ｃ）に示すように、裏側外壁パネル２の下端には、裏側外壁パネル２の上辺が梁８に接合された状態でこの裏側外壁パネル２の下端の動きを拘束するパネル下端拘束手段２１が設けられている。パネル下端拘束手段２１は、裏側外壁パネル２のパネルフレーム３の下端に設けられた雌ねじ部材２２と、この雌ねじ部材２２に螺着された調整ボルト２３と、この調整ボルト２３に螺着したロックナット２４とでなる。調整ボルト２３は、頭部２３ａを下側にして雌ねじ部材２２に螺着されている。
【００２１】
この両面パネル外壁構造の建て方を説明する。表側外壁パネル１および裏側外壁パネル２は、予め工場等で組立てられて、現場に搬入される。現場では、以下に示す順で施工する。まず、基礎６上に柱７を立て、この柱７に表側外壁パネル１の側辺を接合して、柱７に表側外壁パネル１を取付ける。その際、表側外壁パネル位置決め手段１４により、表側外壁パネル１の基礎６に対する水平位置を位置決めする。
【００２２】
次に、仮支持手段１７により、柱７に裏側外壁パネル２を仮支持させる。図７はそのときの動作を示す図であり、裏側外壁パネル２を柱７よりも高く持ち上げ、柱７の仮支持金具１８の切欠溝１８ａの上方に裏側外壁パネル２の被支持片１９が位置する状態で裏側外壁パネル２を下ろすことにより、被支持片１９を切欠溝１８ａに嵌まり込ませる。切欠溝１８ａは上側に開くＶ字状であるため、切欠溝１８ａに嵌まり込んだ被支持片１９は切欠溝１８ａの斜面に沿って底部へと導かれる。この際、裏側外壁パネル位置決め手段１５により、裏側外壁パネル２の基礎６に対する水平位置を位置決めする。これにより、裏側外壁パネル２が、梁８が設置されるまでの仮支持状態となる。
【００２３】
梁８が設置されたなら、この梁８に表側外壁パネル１および裏側外壁パネル２の上辺を接合する。裏側外壁パネル２は梁８に吊り下げられた状態となる。このままでは、裏側外壁パネル位置決め手段１５であるプレート１２の位置決め孔１５ａと位置決めピン１５ｂとの遊びの分だけ裏側外壁パネル２の下端が動く可能性があるため、パネル下端拘束手段２１により裏側外壁パネル２の下端の動きを拘束する。具体的には、図８に示すように、頭部２３ａが基礎６から浮き上がった状態にある調整ボルト２３を、雌ねじ部材２２に対する締め込みを緩めて下側へ移動させ、ロックナット２４を締め付けることで、図１（Ｃ）に示されているように、調整ボルト２３の頭部２３ａが基礎６に接触した状態とする。最後に、隣合う表側外壁パネル１間および裏側外壁パネル２間に水密部材２８（図２、図３）を装着することにより、両面パネル外壁構造が完成する。
【００２４】
このように、この両面パネル外壁構造は、仮支持手段１７により裏側外壁パネル２を柱７に仮支持させてから、後で正式に裏側外壁パネル２を梁８に吊り下げ状態に支持させることにより、両外壁パネル１，２間に手や工具を差し入れるスペースが無くても、裏側外壁パネル２を取付けることができる。また、裏側外壁パネル２を柱７に仮支持する際に、裏側外壁パネル位置決め手段１５により、裏側外壁パネル２の基礎６に対する水平位置を位置決めしておくことにより、裏側外壁パネル２を正確な水平位置に取付けることができる。裏側外壁パネル位置決め手段１５による位置決めだけでは、位置決め孔１５ａと位置決めピン１５ｂとの遊びの分だけ裏側外壁パネル２の下端が動く可能性があるが、裏面側外壁パネル２を梁に吊り下げ状態に支持した後、パネル下端拘束手段２１により、裏側外壁パネル２の下端の動きを拘束することにより、裏側外壁パネル２の下端の動きが拘束された安定した外壁構造となる。
【００２５】
また、表裏の外壁面が外壁パネル１，２からなる構造としたことにより、完成した外壁面の精度が現場作業者の熟練度に左右されることをなくせる。後でビス止め箇所等の補修を行なう必要がなくなり、見栄えが良好である。表側外壁パネル１および裏側外壁パネル２は、工場等で組立てられるため、現場での施工時間を短縮できる。組立てられた表側外壁パネル１および裏側外壁パネル２は施工時にクレーン等の重機を使って運搬および保持できるので、重量の大きな外壁面材５を現場で人力により取付ける必要がなくなり、現場作業が楽になる。また、この両面パネル外壁構造は、簡易な構造であり、特別な部材を使用するものではないため、施工が容易で、かつコストを低く抑えることができる。
【００２６】
図９および図１０は、この発明の異なる実施形態を示す。この両面パネル外壁構造は、仮支持手段１７が前記実施形態のものと異なる。他の構成は前記実施形態と同様である。この実施形態の仮支持手段１７は、裏側外壁パネル２を前側外壁パネル１に仮支持させる構成であり、裏側外壁パネル２に取付けられて表側外壁パネル１のパネルフレーム３に係合する仮支持金物２５からなる。詳しくは、仮支持金物２５は、水平部２５ａと、その先端から上向きに延びる係合部２５ｂとでなり、水平部２５ａの係合部２５ｂとは反対側の端部で、ボルト１０およびナット１１により、裏側外壁パネル２のパネルフレーム３の上側横フレーム材３ｂに固定の取付金物２６に取付けられている。仮支持金物２５の係合部２５ｂを表側外壁パネル１のパネルフレーム３の上側横フレーム材３ｂに係合させることにより、裏側外壁パネル２の上辺を梁８に接合するまでの間に裏側外壁パネル２が外側に倒れるのが防止される。この仮支持手段１７は、前記実施形態の仮支持手段１７よりも、簡素な構成とすることができる。
【図面の簡単な説明】
【００２７】
【図１】（Ａ）はこの発明の実施形態にかかる両面パネル外壁構造の側面図、（Ｂ）はその一部の一断面を示す断面図、（Ｃ）はその一部の異なる断面を示す断面図である。
【図２】図１（Ａ）のII−II断面図である。
【図３】図１（Ａ）のIII−III断面図である。
【図４】同両面パネル外壁構造の裏側外壁パネルの正面である。
【図５】同裏側外壁パネルの側面断面図である。
【図６】同両面パネル外壁構造の一部の分解斜視図である。
【図７】同裏側外壁パネルの仮支持動作を示す説明図である。
【図８】同両面パネル外壁構造のパネル下端拘束手段の動作を示す説明図である。
【図９】この発明の異なる実施形態にかかる両面パネル外壁構造の一部の側面図である。
【図１０】同両面パネル外壁構造の一部の斜視図である。
【図１１】住宅１階部分の平面図である。
【図１２】外壁パネルの下端支持部を示す図である。
【符号の説明】
【００２８】
１…表側外壁パネル
２…裏面側外壁パネル
３…パネルフレーム
４…下地桟
５…外壁面材
６…基礎
７…柱
８…梁
１２…プレート
１４，１５…位置決め手段
１４ａ，１５ａ…位置決め孔
１４ｂ，１５ｂ…位置決めピン
１７…仮支持手段
１８…仮支持金具
１８ａ…案内溝
１９…被支持片
２１…パネル下端拘束手段
２２…雌ねじ部材
２３…調整ねじ
２５…仮支持金物
【図１】
2009221689.tif 000003
【図２】
2009221689.tif 000004
【図３】
2009221689.tif 000005
【図４】
2009221689.tif 000006
【図５】
2009221689.tif 000007
【図６】
2009221689.tif 000008
【図７】
2009221689.tif 000009
【図８】
2009221689.tif 000010
【図９】
2009221689.tif 000011
【図１０】
2009221689.tif 000012
【図１１】
2009221689.tif 000013
【図１２】
2009221689.tif 000014